(57)【要約】  【課題】冷蔵庫本体の開口部に吸着するマグネットガスケットのマグネット保持部の破れを防止して長期にわたり安定し品質で扉への吸着力を得るようにして、冷蔵庫本体とのシール性を向上した冷蔵庫を提供する。  【解決手段】硬質合成樹脂により形成され冷蔵庫本体の開口部周縁２ａに吸着する長尺のひも状磁石１７を保持したマグネット保持部１３と軟質樹脂により形成された扉側への取付部１５と、伸縮自在に連結する薄肉の袋状部１６とを有し、前記マグネット保持部１３を冷蔵庫本体の開口部に吸着させたマグネットガスケット１２を本体開口部を閉塞する扉裏面に取着したことを特徴とする冷蔵庫。【選択図】図２
2010091124.tif 000002
【特許請求の範囲】
【請求項１】
冷蔵庫本体の開口部周縁に吸着する長尺のひも状磁石を保持した硬質合成樹脂からなるマグネット保持部と、軟質合成樹脂により形成された扉側への取付部および両面に伸縮自在に連結する薄肉の袋状部とを有し、前記マグネット保持部で冷蔵庫本体の開口部に吸着させるマグネットガスケットを本体開口部の閉塞する扉裏面に取着したことを特徴とする冷蔵庫。
【請求項２】
冷蔵庫本体の開口部周縁に吸着する長尺のひも状磁石を保持した硬質合成樹脂からなるマグネット保持部と、軟質合成樹脂により形成された扉側への取付部と伸縮自在に連結する薄肉の袋状部とを一体に成形したものとを接着や溶着により接合したマグネットガスケットを本体開口部の閉塞する扉裏面に取着したことを特徴とする冷蔵庫。
【発明の詳細な説明】
【技術分野】
【０００１】
本発明は、扉の裏面側周縁に磁石を内蔵したマグネットガスケットを取り付けた冷蔵庫に関するものである。
【背景技術】
【０００２】
従来、冷蔵庫裏面に取着され冷蔵庫本体の前面開口部周縁の冷気シールを行うマグネットガスケット５１は、広く一般に実施されている構造である図４に示すように、軟質合成樹脂材によって形成するとともに、冷蔵庫本体を形成する薄鋼板製の外箱５２の前面開口面に吸着する磁石６７を内蔵したマグネット保持部６３と、扉内側６４の周縁に形成したガスケット保持凹溝６４ａに嵌着されるくさび形の取り付け部６５とこれらマグネット保持部６３と取付部６５とを伸縮自在に連結する薄肉の袋状部６６とからなる断面を有して構成されていた（例えば、特許文献１参照）。
【０００３】
上記ガスケット５１は、押出成型によって、上記断面形状を長尺のひも状に形成するとともに、扉５９の裏側周縁に取着すべく、各端面を４５度の傾斜角度で切断して４辺を設け、この端縁同士を突き合わせて溶着接合することで、コーナーを直角とした枠状に形成し、扉内側６４の保持凹溝６４ａ嵌着して取り付けるようにしており、このガスケット５１を扉周縁に取り付けた際には、取付部６５と外箱面に吸着するマグネット保持部６３に対して、薄肉の袋状部６６が扉５９の開閉に合わせて伸縮し、冷蔵庫本体の前面開口部に対する扉面の密着状態を保持するものである。
【特許文献１】特開２００５−１８８８４０号公報
【発明の開示】
【発明が解決しようとする課題】
【０００４】
しかしながら、上記従来の構成は、軟質合成樹脂の多くは、軟質塩化ビニルで、一体でマグネットガスケットが構成されているため、経時変化により、軟質塩化ビニルに含まれる可塑剤が少しずつ析出し、扉の開閉を重ねると袋状のマグネット保持部の外箱の前面開口面側が破れる課題を有していた。
【０００５】
また、流出した可塑剤が、冷蔵庫本体開口部の塗装鉄板部にこびりつき、粘着性をもっているため、冷蔵庫の扉を開けることができなくなる課題も有していた。
【０００６】
そのため、低温では気化しにくい高価な可塑剤を使用することにより、塩化ビニルから析出する可塑剤の量を減らしても、使用量がゼロではないため、完全に析出を抑えることができない課題をも有していた。
【０００７】
本発明は、上記従来の課題を解決するもので、マグネット保持部の破れや粘着性を防止することによって、扉側と冷蔵庫本体の開口部周縁との密閉シール性を向上し、開扉力
を低減し、冷気漏れもなく省エネ効果を有する冷蔵庫を提供することを目的としたものである。
【課題を解決するための手段】
【０００８】
上記従来の課題を解決するために、本発明の冷蔵庫は、冷蔵庫本体の開口部周縁に吸着する長尺のひも状磁石を保持した硬質合成樹脂からなるマグネット保持部と、軟質合成樹脂により形成された扉側への取付部および両面に伸縮自在に連結する薄肉の袋状部とを有し、前記マグネット保持部で冷蔵庫本体の開口部に吸着させるマグネットガスケットを本体開口部の閉塞する扉裏面に取着したことを特徴とする。
【０００９】
これによって、軟質塩化ビニルに含まれる可塑剤の析出を防止するため、可塑剤を使用していない硬質塩化ビニルやスチロール系の樹脂に置き換えることにより、扉の開閉を重ねる場合に袋状のマグネット保持部の外箱の前面開口面側が破れることもなく、冷蔵庫本体開口部の塗装鉄板部にこびりつき、粘着性をもっているため、冷蔵庫の扉を開けることができなくなることも無くスムーズに扉開閉することが出来ることとなる。
【００１０】
また、冷蔵庫本体の開口部周縁に吸着する長尺のひも状磁石を保持した硬質合成樹脂からなるマグネット保持部と、軟質合成樹脂により形成された扉側への取付部と伸縮自在に連結する薄肉の袋状部とを一体に成形したものとを接着や溶着により接合したマグネットガスケットを本体開口部の閉塞する扉裏面に取着したことを特徴とする。
【００１１】
これによって、請求項１と同様の作用効果があると同時に、硬質合成樹脂のマグネット保持部と、軟質合成樹脂の取付部と袋状部とを一体成形したものを簡単に接着や溶着により接合することができ、部品作成上、簡易な金型を使って製作することが、可能となる。
【発明の効果】
【００１２】
本発明による冷蔵庫本体の開口部周縁に吸着する長尺のひも状磁石を保持した硬質合成樹脂からなるマグネット保持部と、軟質合成樹脂により形成された扉側への取付部および両面に伸縮自在に連結する薄肉の袋状部とを有し、前記マグネット保持部で冷蔵庫本体の開口部に吸着させるマグネットガスケットを本体開口部の閉塞する扉裏面に取着したことを特徴とするため、冷蔵庫本体の開口部が長期に亘り品質が安定しマグネット保持部が破れることもなく、冷蔵庫庫内を密閉シールすることができる。
【００１３】
同時に、軟質合成樹脂により形成された扉側への取り付け部は、伸縮自在に連結する薄肉の袋状部のクッション性により、扉閉扉時に、冷蔵庫本体からの反発を防止し、密閉シールを行うことができるため、冷気が洩れもなく、完全なシールができ、電気代のロスも解消されて、実質上消費電力量の削減に繋がる省エネ効果も発揮することができる。
【００１４】
また、本発明による冷蔵庫本体の開口部周縁に吸着する長尺のひも状磁石を保持した硬質合成樹脂からなるマグネット保持部と、軟質合成樹脂により形成された扉側への取付部と伸縮自在に連結する薄肉の袋状部とを一体に成形したものとを接着や溶着により接合したマグネットガスケットを本体開口部の閉塞する扉裏面に取着したことを特徴とするため、硬質合成樹脂のマグネット保持部と、軟質合成樹脂の取付部と袋状部とを一体成形したものを簡単に接着や溶着により接合することができ、部品作成上、簡易な金型を使って製作することが可能となり、金型費を掛けずに安価に製作することが出来て品質の安定した製品を提供することが出来る。
【発明を実施するための最良の形態】
【００１５】
請求項１に記載の説明は、冷蔵庫本体の開口部周縁に吸着する長尺のひも状磁石を保持した硬質合成樹脂からなるマグネット保持部と、軟質合成樹脂により形成された扉側への取付部および両面に伸縮自在に連結する薄肉の袋状部とを有し、前記マグネット保持部で冷蔵庫本体の開口部に吸着させるマグネットガスケットを本体開口部の閉塞する扉裏面に取着したことを特徴とすることにより、軟質塩化ビニルに含まれる可塑剤の析出を防止するため、可塑剤を使用していない硬質塩化ビニルやスチロール系の樹脂に置き換えることにより、扉の開閉を重ねる場合に袋状のマグネット保持部の外箱の前面開口面側が破れることもなく、冷蔵庫本体開口部の塗装鉄板部にこびりつき、粘着性をもっているため、冷蔵庫の扉を開けることができなくなることも無くスムーズに扉開閉することが出来ることとなり、冷蔵庫庫内を密閉シールすることができる。
【００１６】
同時に、軟質合成樹脂により形成された扉側への取り付け部は、伸縮自在に連結する薄肉の袋状部のクッション性により、扉閉扉時に、冷蔵庫本体からの反発を防止し、密閉シールを行うことができるため、冷気が洩れもなく、完全なシールができ、電気代のロスも解消されて、実質上消費電力量の削減に繋がる省エネ効果も発揮することができる。
【００１７】
請求項２に記載の説明は、請求項１に記載の発明において、軟質合成樹脂により形成された扉側への取付部および両面に伸縮自在に連結する薄肉の袋状部と、前記マグネット保持部とを各々別々に成形し、その後、接着や溶着により接合するもので、部品作成上、簡易な金型を使って製作することが可能となり、金型費を掛けずに安価に製作することが出来て品質の安定した製品を提供することが出来る。
【００１８】
以下、本発明の実施の形態について、図面を参照しながら説明するが、従来例または先に説明した実施の形態と同一構成について同一符号を付して、その詳細な説明は省略する。
なお、この実施の形態によってこの発明が限定されるものではない。
【００１９】
（実施の形態１）
本発明の実施の形態１における図１に示す冷蔵庫本体１は、外箱２と断熱材３を介して設けた内箱４によって、内部に貯蔵空間を形成しており、貯蔵空間の前面開口部５をいくつかの断熱された仕切り壁６で区分することで，庫内に複数の独立空間を形成し、それぞれを冷蔵室７や野菜室８、冷凍室９などの食品の貯蔵温度に適した所定の温度帯に冷却制御している。
【００２０】
各貯蔵室の開口部には、それぞれ冷蔵室扉１０ヤ野菜室扉１１などの開閉扉を設けており、各扉中、冷蔵庫扉１０は、前面開口部の右側の上下に取り付けたヒンジにその右側を枢支することで回転自在に設けられているが、野菜室８他の貯蔵室扉は、引き出し式に形成されている。
【００２１】
そして、前記各扉の裏面周縁には、図２に冷蔵庫要部の横断面を示すように、マグネットガスケット１２が取り付けられており、冷蔵庫本体１を形成する外箱２の前面開口部周縁に形成した外箱鍔部２ａと内箱４の前面開口部周縁に形成した内箱鍔部４ａとをラップさせて断熱材３の漏れをシールする構成で、冷蔵室扉１０の裏面側周縁との間隙を密閉シールして冷蔵室７内と外部との熱的に遮断し、本体壁面内外箱に充填した断熱材３と併せて熱漏洩を防止し、貯蔵室内を所定温度に制御保持している。
【００２２】
冷蔵室７の開口部におけるマグネットガスケット１２部の構成は、上記いずれの貯蔵室扉においても基本的には、同一であるが、単体としての断面図は図３に示すように、マグネットガスケット１２は、磁石１７を保持する硬質合成樹脂からなるマグネット保持部１３、と扉内板１４側への軟質合成樹脂からなる取り付け部１５、およびこれらを伸縮自在に連結する軟質合成樹脂からなる薄肉の袋状部１６の断面形状を有し、長尺のひも状に、押し出し成形されたものを４５度の傾斜角をもって切断し、その端面を突き合わせて、加熱溶着加工することにより、冷蔵室扉１０の裏面周縁に沿った枠上に形成されたものである。
【００２３】
かかる構成によれば、磁石１７を保持するマグネット保持部１３を軟質合成樹脂から硬質塩化ビニルやスチロール系の硬質合成樹脂に置き換えることにより、樹脂を軟化させる可塑剤を含まないため、流出した可塑剤が、冷蔵庫本体開口部の塗装鉄板部にこびりつき、粘着性をもっているため、冷蔵庫の扉を開けることができなることもなく、冷蔵庫本体の開口部が長期に亘り品質が安定しマグネット保持部が破れることもないため冷蔵庫庫内を密閉シールすることができる。
【００２４】
このことにより、軟質合成樹脂により形成された扉側への取り付け部は、伸縮自在に連結する薄肉の袋状部のクッション性により、扉閉扉時に、冷蔵庫本体からの反発を防止し、密閉シールを行うことができるため、冷気洩れもなく、完全なシールができ、電気代のロスも解消されて、実質上消費電力量の削減に繋がる省エネ効果も発揮することができる。
【００２５】
（実施の形態２）
図３は、図２におけるガスケットの単体構成を示す断面図である。この図３に示すように、前記マグネット保持部１３は、材質は、硬質合成樹脂であり、扉裏面を構成する扉内板１４側への取付部１５、及びこれらを伸縮自在に連結する薄肉部の袋状部１６は、軟質合成樹脂であり、これら別々に成形されたものを接着や溶着により接合部１８にて接合して構成されたものであり、部品作成上、簡易な金型を使って製作することが可能となり、金型費を掛けずに安価に製作することが出来て品質の安定した製品を提供することが出来る。
【００２６】
なお、実施の形態において、別々に成形されたものを接着や溶着により接合して構成されたものとしたが、マグネット保持部から爪を左右に出して、軟質袋状部にアンカー部を設け嵌合保持構造等により接合してもよい。
【産業上の利用可能性】
【００２７】
以上のように、本発明にかかる冷蔵庫は、例えば、家庭用又は業務用冷蔵庫やシール性の必要な家具・システムキッチン収納庫のマグネットガスケットに応用できるものである。
【図面の簡単な説明】
【００２８】
【図１】本発明の実施の形態１における冷蔵庫の全体を示す斜視図
【図２】本発明の実施の形態１を示す扉ガスケット部の拡大断面図
【図３】本発明の実施の形態２の図２におけるガスケットの単体構成を示す断面図
【図４】従来例の扉ガスケット部の拡大断面図
【符号の説明】
【００２９】
１    冷蔵庫本体
２    外箱
２ａ  外箱鍔部
３    断熱材
４    内箱
４ａ  内箱鍔部
５    開口部
１２  マグネットガスケット
１３  マグネット保持部
１４  扉内板
１５  取付部
１６  袋状部
１７  磁石
【図１】
2010091124.tif 000003
【図２】
2010091124.tif 000004
【図３】
2010091124.tif 000005
【図４】
2010091124.tif 000006